(57)【要約】【課題】  母音キーを左手または右手だけで打鍵可能なエリアに配置し、子音キーを他方の手で同時打鍵（厳密には子音キーを若干早く打鍵）可能なエリアに配置したキーボード及びそのようなキーボードを使用したシステムにおいて、同時打鍵の習熟度が低いなどの理由で、誤って母音キーの方を若干早く打鍵することがあっても、所定時間内の誤打鍵であれば正しく（子音＋母音）の「かな文字」として処理することができるキーボード及びキーデータ情報処理システムを提供する。【解決手段】  母音データ信号を他キーのデータ信号に比べて、所定時間遅らせてキーデータ情報処理制御部へ出力する。【選択図】        図１
2005285079.tif 000002
【特許請求の範囲】
【請求項１】
母音キーを左手または右手だけで打鍵可能な一方のエリアに、子音キーを他方のエリアに配置し、母音キーと子音キーを両手で同時打鍵可能にしたキーボードにおいて、母音データ信号を子音データ信号に比べて、所定時間遅らせてキーデータ情報処理部へ出力する母音遅延手段を有することを特徴とする文字入力用キーボード。
【請求項２】
入力キーデータの中から母音データ信号を選別して蓄える母音蓄積手段と、該母音蓄積手段内の母音データ信号を所定時間経過後にキーデータ情報処理部へ出力させる遅延制御手段と、該遅延動作中に次の母音データ信号を受信すると直ちに、前記母音蓄積手段内の母音データ信号をキーデータ情報処理部へ出力し、新たに受信した母音データ信号を前記母音蓄積手段に蓄える制御を行う連続母音制御手段を有することを特徴とする請求項１記載の文字入力用キーボード。
【請求項３】
母音キーを左手または右手だけで打鍵可能な一方のエリアに、子音キーを他方のエリアに配置し、母音キーと子音キーを両手で同時打鍵可能にしたキーボードを用いる情報処理システムにおいて、キーボードから入力されたキーデータの中から母音データを選別して蓄える母音蓄積ステップと、所定時間経過後に該蓄積母音データの情報処理を開始させる遅延制御ステップと、該所定時間計時中に次の母音データを受けると直ちに前記蓄積母音データの情報処理を開始させ、新たに受けた母音データを母音蓄積させる連続母音制御ステップを有することを特徴とするキーデータ情報処理システム。
【発明の詳細な説明】
【技術分野】
【０００１】  本発明は、文字入力用キーボードに関し、特に子音キーと母音キーの同時打鍵を可能にしたキーボード及びそのようなキーボードを用いたキーデータ情報処理システムに関する。
【背景技術】
【０００２】  従来、同時打鍵を可能にしたキーボードは、母音キーを左手または右手だけで打鍵可能なエリアに配置し、子音キーを他方の手で打鍵可能なエリアに配置したものがある（例えば、特許文献１、特許文献２、特許文献３の各図１参照。）。図４は本出願人が特許文献１で開示したキー配列を示している。このように、従来開示された技術で左右の手を母音キーと子音キー別々に受け持たせ、左右の手で同時打鍵（厳密には子音をわずかに早める）することにより、日本文の高速入力が可能である。また、同時打鍵を容易にする技術が開示されている（例えば、特許文献２、特許文献３の各図２及び説明を参照。）。
【特許文献１】特開２００２−３２８７６０号公報（図１）
【特許文献２】特開平８−１３７５９４号公報（第５−６頁、図１、図２）
【特許文献３】特開２００３−３２３２５０号公報（第７−８頁、図１、図２）
【発明の開示】
【発明が解決しようとする課題】
【０００３】  同時打鍵において、両手の打鍵時間差を縮めるほど高速入力できるが、子音キーの方を常に母音キーより一瞬早く打つことは困難になる。逆に母音キーの方を早く打ってしまう誤打鍵が多くなり、同時打鍵の高速化に限界があった。【０００４】  特許文献２および特許文献３の開示技術では、同時打鍵対策として母音キーと子音キーの各専用レジスタを設け、打鍵順を問わず両方の打鍵が揃うまでの保証として、一方の入力後かなり長い時間（数百ミリ秒）待ってから、両レジスタのデータを組合せて文字確定を行っている。この場合、専用レジスタや制御回路を多く必要とし、子音キーを待つ必要のない母音「あ〜お」の場合であっても長い時間待ちが行われている。【０００５】  本発明は、このような問題を解決するものであり、従来よりも少ない回路量と簡単な制御で、より高速な同時打鍵入力が可能なキーボードおよびキーデータ情報処理システムを提供することを目的としている。【０００６】  なお、ここで呼称する「キーボード」は、通常のキーボード出力をデータ変換器を通してキーデータ情報処理部に送る形式の情報処理システムでは、データ変換器までを含むものとする。
【課題を解決するための手段】
【０００７】  本発明のキーボードは、母音キーを左手または右手だけで打鍵可能な一方のエリアに、子音キーを他方のエリアに配置し、母音キーと子音キーを両手で同時打鍵可能にしたキーボードおいて、母音データ信号を子音データ信号に比べて、所定時間遅らせてキーデータ情報処理部へ出力する母音遅延手段を有することを特徴とする。これにより、同時打鍵の習熟度が低く、誤って母音キーの方を若干早く打鍵しても、所定時間内の誤打鍵であれば正しく（子音＋母音）の「かな文字」として処理することができる。【０００８】  本発明のキーボードは、入力キーデータの中から母音データ信号を選別して蓄える母音蓄積手段と、該母音蓄積手段内の母音データ信号を所定時間経過後にキーデータ情報処理部へ出力させる遅延制御手段と、該遅延動作中に次の母音データ信号を受信すると直ちに、前記母音蓄積手段内の母音データ信号をキーデータ情報処理部へ出力し、新たに受信した母音データ信号を前記母音蓄積手段に蓄える制御を行う連続母音制御手段を有することを特徴とする。【０００９】  本発明のキーデータ情報処理システムは、母音キーを左手または右手だけで打鍵可能な一方のエリアに、子音キーを他方のエリアに配置し、母音キーと子音キーを両手で同時打鍵可能にしたキーボードを用いる情報処理システムにおいて、キーボードから入力されたキーデータの中から母音データを選別して蓄える母音蓄積ステップと、所定時間経過後に該蓄積母音データの情報処理を開始させる遅延制御ステップと、該所定時間計時中に次の母音データを受けると直ちに前記蓄積母音データの情報処理を開始させ、新たに受けた母音データを母音蓄積させる連続母音制御ステップを有することを特徴とする。これにより、ハードウェアによらずともソフトウェア手段で前記同様な機能が得られる。
【発明の効果】
【００１０】  以上のように、本発明のキーボードによれば子音キーと母音キーの同時打鍵が容易になり、同時打鍵の練習時間が少なくてすみ、より高速な文字入力が可能となる。また、本発明のキーデータ情報処理システムによれば、キーボードのハードウェアは従来技術のままで、ソフトウェア上の処理で同様な機能を実現することができる。
【発明を実施するための最良の形態】
【００１１】  以下、図面を参照しながら本発明に係るキーボード及びキーデータ情報処理システムについて説明する。
【実施例１】
【００１２】  図１は本発明の第１実施形態を示すキーボードのブロック図である。図において、打鍵キーの出力であるキーデータ１を母音データ選別部２に入力し、母音キーのデータである母音データ３は母音レジスタ６へ、子音その他（記号、機能など）キーのデータである子音他データ５はそのままキーデータ情報処理部９へ転送する。キーデータ情報処理部９は、システム仕様で定められた各キーの所定機能に基づく情報処理を行う。例えば、ローマ字入力モードにあるとき、文字キーＡからＺのキーデータ入力があるとそれらの組合せを処理して「かな文字」を生成し、その後漢字変換などを経て日本文生成処理を行う。【００１３】  母音のキーデータ入力があると、母音指令４を母音制御７に出す。母音制御７は内蔵の遅延タイマ７１を起動し、同時に取込み指令７３を出して母音データ３を母音レジスタ６に取込む。遅延タイマ７１は所定時間（数十から百ミリ秒程度）カウント後に出力指令７２を出し、母音レジスタ６に保管中の母音データをキーデータ情報処理部９に出力させる。ただし、前記母音指令４が出たときすでに遅延タイマ７１が動作中であった場合は、母音レジスタ６が別の母音データを保管しており、母音制御７はまず出力指令７２を出してすでに保管中の母音データをキーデータ情報処理部９に出力させる。その後、遅延タイマ７１を初期値から再起動させ、同時に取込み指令７３を出して新たな母音データ３を母音レジスタ６に取込ませる。【００１４】  ローマ字として正しく入力するには、子音キーを母音キーよりも前に打鍵する必要がある。子音キーを母音キーよりも一瞬早くほぼ同時に打鍵すればよいが、人が両手を使って打鍵するとどうしても両手の早さにばらつきが生じ、誤って母音キーの方を早く打鍵してしまうことがある。本発明は、上記のように母音データを所定時間（数十から百ミリ秒程度）遅らせてキーデータ情報処理することで、両手の早さのばらつきを吸収することができ、前記所定時間内であれば誤って母音キーの方を早く打鍵しても正しいローマ字処理ができる。また、この所定時間内に次の母音データが届いたときは、保管中の母音データは「あ〜お」いずれかの母音だと確定できるので、直ちに保管中の母音データをキーデータ情報処理部９に送って処理する。この場合以外では、母音データの処理が常に所定時間遅れて開始されることになるが、文字入力（打鍵）速度が速い人でも文字間に１００ミリ秒程度以上の間隔があり、通常の文字入力での支障は生じない。また、使用者の打鍵速度に合わせて、所定時間値を設定できるように構成することも可能である。
【実施例２】
【００１５】  図２は本発明の第２実施形態を示すキーボードのキーまわり回路図である。図では、母音キー２１、子音キー２２、記号他キー２３の各１個だけを代表的に図示している。各キーは、打鍵によって各々のスイッチ２４が押下されてオン（導通）になり、５ボルト電圧をライン２６からスイッチ２４を導通して出力線２７に供給する。母音キー２１は、スイッチ２４の押下情報を遅延回路２５で所定時間遅らせて出力している。遅延回路２５は、単体の遅延素子、なんらかの論理回路など、どのように構成してもよい。本発明は、母音データ信号の情報処理開始を他のデータ信号より所定時間遅らせる手段を問わない。別の手段として、母音キーのみ導通動作の遅いスイッチを用いるなども可能である。
【実施例３】
【００１６】  図３は本発明の第３実施形態を示すものであり、本発明をソフトウェア的に実現する場合のフロー図である。図において、ステップ３１でキーデータの受信感知、ステップ３２で母音タイマの割込み感知を行い、通常はこの２つのステップをループしている。キーボード出力があると、ステップ３１で受信感知し、母音データ選別ステップ３３に移る。ステップ３３で、母音データ以外だとキーデータ送出ステップ３４に移り、受信キーデータをキーデータ情報処理ステップ３９に移す。もし母音データであれば、ステップ３６に移り母音タイマが動作中か調べ、動作中でなければステップ３８に移り、その母音データを保留すると共に母音タイマをスタートさせる。もし母音タイマが動作中であればステップ３７に移り、すでに保留中の母音データをキーデータ情報処理ステップ３９に引渡し、動作中の母音タイマをクリアして前記ステップ３８に移る。キーデータ情報処理ステップ３９はキーデータを渡されると所定の情報処理を実行する。この処理は前記他の各ステップと並行的に実行するが、それはハードウェアが持つ各種割込み機能を利用するソフトウェア処理の一般的な処理手法である。なお、図示していないが、上記ステップ３４、ステップ３８のあとは、そのまま又は何らかの所定情報処理後にステップ３１、３２のループにもどる。本発明は、このようにして母音データ信号の情報処理開始を他のデータ信号より所定時間遅らせるキーデータ情報処理システムとして実施することもできる。
【図面の簡単な説明】
【００１７】
【図１】本発明の第１実施形態を示すキーボードのブロック図である。
【図２】本発明の第２実施形態を示すキーボードのキーまわり回路図である。
【図３】本発明の第３実施形態を示し、本発明をソフトウェア的に実施する場合のフロー図である。
【図４】従来の開示技術による、同時打鍵可能なキーボードのキー配列図である。
【符号の説明】
【００１８】  １  キーデータ
２  母音データ選別部
３  母音データ
４  母音指令
５  子音他データ
６  母音レジスタ
７  母音制御部
７１  遅延タイマ
７２  データ出力指令
７３  データ取込み指令
９、３９  キーデータ情報処理部
２１、２２、２３  各種別キー
２４  スイッチ
２５  遅延回路
【図１】
2005285079.tif 000003
【図２】
2005285079.tif 000004
【図３】
2005285079.tif 000005
【図４】
2005285079.tif 000006